(57)【要約】本発明は、準備段階、主動給乳段階、受動給乳段階及び休憩段階を含む早産児用自動授乳方法に関し、さらに、本発明は、胃管、給乳装置、プローブ及び制御装置を備え、胃管の一端は、早産児の胃内に配置され、他端は、給乳装置に接続され、給乳装置は、制御装置に電気的に接続され、制御装置は、プローブに電気的に接続され、プローブは、早産児の口に配置されている早産児用自動授乳方法に使用される自動授乳機を提供する。本発明によれば、早産児自分の吸引能力を訓練するとともに、早産児の体の口−咽頭−胃−腸の反射サイクルを正常に機能させ、また、早産児の個体差を考慮に入れるとともに、早産児に必要な栄養を供給し、それによって、早産児の将来のケア、飲食、神経発育及び成長発育のいずれにおいても満期産児と同じようにする。【選択図】図１
2021508504.tif 000002
【特許請求の範囲】
【請求項１】
早産児用自動授乳方法であって、
まず、早産児に必要な栄養を供給するのに十分な量の乳汁を給乳装置に予め収容しておき、次に、胃管の一端を早産児の胃内に配置して、前記胃管の他端を前記給乳装置に接続し、さらに、プローブを早産児の口に配置して、前記プローブを制御装置に電気的に接続し、前記制御装置を前記給乳装置に電気的に接続する、準備段階であるステップ（１）と、
早産児が前記プローブを吸うと、前記プローブは、早産児による吸引動作を取得し、吸引動作を吸引信号に変換して前記制御装置に伝送し、前記制御装置は、吸引信号を受信すると前記給乳装置を起動させ、前記給乳装置は、前記胃管を介して早産児に所定量の乳汁を供給した後に、給乳を停止し、
早産児が再度前記プローブを吸うと、前記プローブは、早産児による吸引動作を取得し、吸引動作を吸引信号に変換して前記制御装置に伝送し、前記制御装置は、吸引信号を受信すると前記給乳装置を起動させ、前記給乳装置は、前記胃管を介して早産児に所定量の乳汁を供給した後に、給乳を停止し、
前記給乳装置における乳汁の全部が供給される又は主動給乳段階の時間が切れるまで、このように繰り返す、主動給乳段階であるステップ（２）と、
ステップ（２）において前記給乳装置における乳汁の全部が供給された場合、前記給乳装置は、乳汁の全部が供給された信号を前記制御装置に送信し、前記制御装置は、前記給乳装置を停止して、前記給乳装置は、早産児に対して受動給乳を行わず、
ステップ（２）における主動給乳段階の時間が切れても前記給乳装置に乳汁が残っている場合、前記給乳装置は、乳汁が残っている信号を前記制御装置に送信し、前記制御装置は、前記給乳装置を起動させて残った乳汁を前記胃管を介して早産児へ等速で供給し、乳汁の全部が供給されると、前記給乳装置は、乳汁の全部が供給された信号を前記制御装置に送信し、前記制御装置は、前記給乳装置を停止して、前記給乳装置は、早産児に対して受動給乳を行わない、受動給乳段階であるステップ（３）と、
ステップ（３）が終了した後、休憩段階の時間が切れるまで早産児を休憩させる、休憩段階であるステップ（４）とを含むことを特徴とする早産児用自動授乳方法。
【請求項２】
ステップ（１）において、前記給乳装置に予め収容した早産児に必要な栄養を供給するのに十分な乳汁の量は、５−６０ｍｌであることを特徴とする請求項１に記載の早産児用自動授乳方法。
【請求項３】
ステップ（２）において、前記主動給乳段階の時間は、１０−１５ｍｉｎであることを特徴とする請求項１に記載の早産児用自動授乳方法。
【請求項４】
ステップ（２）において、前記給乳装置による早産児への一回の乳汁供給量は、０．０４−０．０６ｍｌであることを特徴とする請求項１に記載の早産児用自動授乳方法。
【請求項５】
ステップ（３）において、前記受動給乳段階の時間は、５−１０ｍｉｎであることを特徴とする請求項１に記載の早産児用自動授乳方法。
【請求項６】
ステップ（３）において、前記給乳装置の供給速度は、０．４−２ｍｌ／ｍｉｎであることを特徴とする請求項１に記載の早産児用自動授乳方法。
【請求項７】
ステップ（４）において、前記休憩段階の時間は、２−３ｈであることを特徴とする請求項１に記載の早産児用自動授乳方法。
【請求項８】
請求項１−７のいずれか１項に記載の早産児用自動授乳方法に使用される自動授乳機であって、
給乳装置と、胃管とを備え、前記給乳装置には、早産児に必要な栄養を供給するのに十分な量の乳汁が収容されており、前記胃管の一端は、早産児の胃内に配置され、前記胃管の他端は、前記給乳装置に接続され、
前記自動授乳機は、早産児が吸引動作をしているか否かを検知するプローブ及び制御装置をさらに備え、前記プローブは、早産児の口に配置され、前記制御装置に電気的に接続され、前記制御装置は、前記給乳装置に電気的に接続されることを特徴とする自動授乳機。
【請求項９】
前記給乳装置は、ハウジングを備え、前記ハウジング内には、取付溝が設けられ、前記取付溝には、プッシャーが固定して設けられ、前記プッシャーは、乳汁を収容するためのカートリッジ、ピストン、プッシュロッド及びプッシュプレートを備え、前記カートリッジの先端の注射ヘッドが前記ハウジングから伸びて前記胃管に接続され、前記ピストンが前記カートリッジにスライド可能に設けられ、前記ピストンが前記プッシュロッドの先端に固定して接続され、前記プッシュロッドの後端が前記プッシュプレートに固定して接続され、
前記ピストンの後端と前記カートリッジの後端との間には、距離感知装置がさらに設けられ、前記距離感知装置は、距離検出センサと反射板を備え、前記反射板が前記ピストンに固定して設けられ、前記距離検出センサが前記カートリッジに固定して設けられ、前記距離検出センサ及び反射板がそれぞれ前記制御装置に電気的に接続され、
前記給乳装置は、モータをさらに備え、前記モータの出力軸が軸ブッシュを介してスクリューの後端に固定して接続され、前記スクリューの先端には、スクリュースリーブが套設され、前記スクリューが前記スクリュースリーブに螺接され、前記スクリュースリーブが前記プッシュプレートに固定して接続され、
前記モータは、モータドライバーに電気的に接続され、前記モータドライバーは、前記制御装置に電気的に接続されることを特徴とする請求項８に記載の自動授乳機。
【請求項１０】
前記プローブは、吸い口及び前記吸い口内に設けられた圧力センサを備え、前記圧力センサは、前記制御装置に電気的に接続されることを特徴とする請求項８に記載の自動授乳機。
【発明の詳細な説明】
【技術分野】
【０００１】
本発明は、医療機器の技術分野に属し、特に早産児用自動授乳方法、及び自動授乳機に関する。
【背景技術】
【０００２】
現代の医療技術の進歩により、早産児の生存率が大幅に向上しており、現在、出生時体重が１０００〜２５００グラムの早産児の生存率は、８５〜９５％と高くなっているが、生存している早産児には、成長発育遅延が発生しやすく、１５００グラム未満の早産児の場合は、成長発育遅延の発症率が５０％と高く、それは、早産児の身体の成長に影響を与えるだけでなく、長期的に見ると、代謝性疾患、高血圧及び神経系後遺症の可能性を大幅に高める。これは、早産児の出生後の経腸栄養が確立しにくいことに繋がり、経腸栄養の確立の難しさが早産児の消化管の不完全な発達に起因することであり、また、早産児の吸引機能障害のため、出生後の長時間内で経口摂取を行うことはできず、臨床的には、看護師が胃管を介して注射器を用いて胃に注入することで経腸栄養を供給することが一般的であるが、このような方式によれば、体の正常な口−咽頭−胃−腸の反射サイクルが崩れて、胃腸の消化能力がさらに低下し、早産児の栄養吸収に悪影響を与え、その結果、成長発育遅延を引き起こし、さらに長期的な予後不良の原因となる。
【０００３】
胎児は、約２０週の在胎週数で吸引能力を持っているが、吸引と嚥下のバランスを取るまでには３４週間以上がかかり、臨床的には、妊娠週数３４週未満で生まれた早産児に対して、直接授乳によって早産児がミルクを詰まらせるリスクを回避するために、胃管の方式で乳汁を与え、臨床経験に基づいて少量の乳汁から始まり、毎日少量で増やし、赤ちゃんが寝ているかどうかにかかわらず、２〜３時間ごとに１回供乳し、且つ約１分で完了するほどの注入速度とする。このような方式では、早産児の個人差を考慮に入れず、一部の早産児の摂食不耐性を引き起こしやすく、これに加えて、このような方式は、早産児による吸引ニーズを完全に奪い、その結果、早産児自分の吸引能力を訓練できなくなり、後でも自分で乳汁を吸いにくくなり、その結果、入院期間を延長させて、入院費用を増加し、さらに神経系発達に悪影響を及ぼし、家族や社会に多大な負担をもたらしてしまう。
【発明の概要】
【発明が解決しようとする課題】
【０００４】
本発明の目的は、上記従来技術の欠点を解決して、早産児用自動授乳方法を提供することである。
【課題を解決するための手段】
【０００５】
本発明は、以下のように実現される。早産児用自動授乳方法であって、
まず、早産児に必要な栄養を供給するのに十分な量の乳汁を給乳装置に予め収容しておき、次に、胃管の一端を早産児の胃内に配置して、前記胃管の他端を前記給乳装置に接続し、さらに、プローブを早産児の口に配置して、前記プローブを制御装置に電気的に接続し、前記制御装置を前記給乳装置に電気的に接続する、準備段階であるステップ（１）と、
早産児が前記プローブを吸うと、前記プローブは、早産児による吸引動作を取得し、吸引動作を吸引信号に変換して前記制御装置に伝送し、前記制御装置は、吸引信号を受信すると前記給乳装置を起動させ、前記給乳装置は、前記胃管を介して早産児に所定量の乳汁を供給した後に、給乳を停止し、
早産児が再度前記プローブを吸うと、前記プローブは、早産児による吸引動作を取得し、吸引動作を吸引信号に変換して前記制御装置に伝送し、前記制御装置は、吸引信号を受信すると前記給乳装置を起動させ、前記給乳装置は、前記胃管を介して早産児に所定量の乳汁を供給した後に、給乳を停止し、
前記給乳装置における乳汁の全部が供給される又は主動給乳段階の時間が切れるまで、このように繰り返す、主動給乳段階であるステップ（２）と、
ステップ（２）において前記給乳装置における乳汁の全部が供給された場合、前記給乳装置は、乳汁の全部が供給された信号を前記制御装置に送信し、前記制御装置は、前記給乳装置を停止して、前記給乳装置は、早産児に対して受動給乳を行わず、
ステップ（２）における主動給乳段階の時間が切れても前記給乳装置に乳汁が残っている場合、前記給乳装置は、乳汁が残っている信号を前記制御装置に送信し、前記制御装置は、前記給乳装置を起動させて残った乳汁を前記胃管を介して早産児へ等速で供給し、乳汁の全部が供給されると、前記給乳装置は、乳汁の全部が供給された信号を前記制御装置に送信し、前記制御装置は、前記給乳装置を停止して、前記給乳装置は、早産児に対して受動給乳を行わない、受動給乳段階であるステップ（３）と、
ステップ（３）が終了した後、休憩段階の時間が切れるまで早産児を休憩させる、休憩段階であるステップ（４）とを含む
【０００６】
具体的には、ステップ（１）において、前記給乳装置に予め収容した早産児に必要な栄養を供給するのに十分な乳汁の量は、５−６０ｍｌである。
【０００７】
具体的には、ステップ（２）において、前記主動給乳段階の時間は、１０−１５ｍｉｎである。
【０００８】
具体的には、ステップ（２）において、前記給乳装置による早産児への一回の乳汁供給量は、０．０４−０．０６ｍｌである。
【０００９】
具体的には、ステップ（３）において、前記受動給乳段階の時間は、５−１０ｍｉｎである。
【００１０】
具体的には、ステップ（３）において、前記給乳装置の供給速度は、０．４−２ｍｌ／ｍｉｎである。
【００１１】
具体的には、ステップ（４）において、前記休憩段階の時間は、２−３ｈである。
【００１２】
本発明は、さらに前記早産児用自動授乳方法に使用される自動授乳機を提供し、該自動授乳機は、給乳装置と、胃管とを備え、前記給乳装置には、早産児に必要な栄養を供給するのに十分な量の乳汁が収容されており、前記胃管の一端は、早産児の胃内に配置され、前記胃管の他端は、前記給乳装置に接続され、前記自動授乳機は、早産児が吸引動作をしているか否かを検知するプローブ及び制御装置をさらに備え、前記プローブは、早産児の口に配置され、前記制御装置に電気的に接続され、前記制御装置は、前記給乳装置に電気的に接続される。
【００１３】
具体的には、前記給乳装置は、ハウジングを備え、前記ハウジング内には、取付溝が設けられ、前記取付溝には、プッシャーが固定して設けられ、前記プッシャーは、乳汁を収容するためのカートリッジ、ピストン、プッシュロッド及びプッシュプレートを備え、前記カートリッジの先端の注射ヘッドが前記ハウジングから伸びて前記胃管に接続され、前記ピストンが前記カートリッジにスライド可能に設けられ、前記ピストンが前記プッシュロッドの先端に固定して接続され、前記プッシュロッドの後端が前記プッシュプレートに固定して接続され、
前記ピストンの後端と前記カートリッジの後端との間には、距離感知装置がさらに設けられ、前記距離感知装置は、距離検出センサと反射板を備え、前記反射板が前記ピストンに固定して設けられ、前記距離検出センサが前記カートリッジに固定して設けられ、前記距離検出センサ及び反射板がそれぞれ前記制御装置に電気的に接続され、
前記給乳装置は、モータをさらに備え、前記モータの出力軸が軸ブッシュを介してスクリューの後端に固定して接続され、前記スクリューの先端には、スクリュースリーブが套設され、前記スクリューが前記スクリュースリーブに螺接され、前記スクリュースリーブが前記プッシュプレートに固定して接続され、
前記モータは、モータドライバーに電気的に接続され、前記モータドライバーは、前記制御装置に電気的に接続される。
【００１４】
具体的には、前記プローブは、吸い口及び前記吸い口内に設けられた圧力センサを備え、前記圧力センサは、前記制御装置に電気的に接続される。
【発明の効果】
【００１５】
本発明に係る早産児用自動授乳方法及び自動授乳機は、以下の技術的効果を有する。
（１）主動給乳段階では、早産児がプローブを吸って、プローブの圧力センサが早産児による吸引動作を取得する場合にのみ、吸引動作を吸引信号に変換して制御装置を伝送し、制御装置は、吸引信号を受信したときにのみ給乳装置を起動させて早産児へ給乳し、それによって、早産児自分の吸引能力を訓練するとともに、早産児の体の口−咽頭−胃−腸反射サイクルを正常に機能させ、それによって、早産児の将来のケア、飲食、神経発育及び成長発育のいずれにおいても満期産児と同じようにする。
（２）早産児のステップ（２）における主動給乳段階が終了した後、給乳装置には乳汁が残っている場合、受動給乳段階に入り、受動給乳段階では、制御装置は、給乳装置を起動させて残った乳汁を胃管を介して早産児へ等速で供給することで、早産児の個体差を考慮に入れるとともに、早産児による栄養へのニーズを満たす。
（３）ステップ（３）が終了した後、休憩段階に入り、早産児に十分な休憩時間を与え、早産児の発育に有利である。
【図面の簡単な説明】
【００１６】
以下、本発明の技術案をより明瞭に説明するために、実施例において使用される図面を簡単に説明するが、勿論、以下の説明における図面は、本発明の実施例の一部に過ぎず、当業者であれば、創造的な努力を必要とせずに、これら図面に基づいてほかの図面を想到しうる。
【図１】本発明の実施例による早産児用自動授乳方法のステップのフローチャートである。
【図２】本発明の実施例による自動授乳機の原理図である。
【図３】図２における給乳装置の構造模式図である。
【図４】図２におけるプローブの構造模式図である。
【発明を実施するための形態】
【００１７】
以下、本発明の実施例における図面を参照しながら、本発明の実施例における技術案を明瞭で完全に説明する。
【００１８】
図１及び図２に示すように、本発明の実施例による早産児用自動授乳方法は、
まず、一般的に５−６０ｍｌである、早産児に必要な栄養を供給するのに十分な量の乳汁を給乳装置１に予め収容しておき、次に、胃管２の一端を早産児の胃内に配置して、胃管２の他端を給乳装置１に接続し、さらに、プローブ３を早産児の口に配置して、プローブ３を制御装置４に電気的に接続し、制御装置４を給乳装置１に電気的に接続する、準備段階であるステップ（１）と、
早産児がプローブ３を吸うと、プローブ３は、早産児による吸引動作を取得し、吸引動作を吸引信号に変換して制御装置４に伝送し、制御装置４は、吸引信号を受信すると給乳装置１を起動させ、給乳装置１は、胃管２を介して早産児に所定量の乳汁を供給した後に、給乳を停止し、
早産児が再度プローブ３を吸うと、プローブ３は、早産児による吸引動作を取得し、吸引動作を吸引信号に変換して制御装置４に伝送し、制御装置４は、吸引信号を受信すると給乳装置１を起動させ、給乳装置１は、胃管２を介して早産児に所定量の乳汁を供給した後に、給乳を停止し、
給乳装置１における乳汁の全部が供給される又は主動給乳段階の時間が切れるまで、以上のことを繰り返し、給乳装置１による早産児への一回の乳汁供給量は、０．０４−０．０６ｍｌであり、主動給乳段階の時間は、１０−１５ｍｉｎである、主動給乳段階であるステップ（２）と、
ステップ（２）において給乳装置１における乳汁の全部が供給された場合、給乳装置１は、乳汁の全部が供給された信号を制御装置４に送信し、制御装置４は、給乳装置１を停止して、給乳装置１は、早産児に対して受動給乳を行わず、
ステップ（２）における主動給乳段階の時間が切れても給乳装置１に乳汁が残っている場合、給乳装置１は、乳汁が残っている信号を制御装置４に送信し、制御装置４は、給乳装置１を起動させて残った乳汁を胃管２を介して早産児へ等速で供給し、乳汁の全部が供給されると、給乳装置１は、乳汁の全部が供給された信号を制御装置４に送信し、制御装置４は、給乳装置１を停止して、給乳装置１は、早産児に対して受動給乳を行わず、給乳装置１の供給速度は、０．４−２ｍｌ／ｍｉｎであり、受動給乳段階の時間は、５−１０ｍｉｎである、受動給乳段階であるステップ（３）と、
ステップ（３）が終了した後、２−３ｈの休憩段階の時間が切れるまで早産児を休憩させる、休憩段階であるステップ（４）とを含む。
【００１９】
本発明の実施例は、さらに前記早産児用自動授乳方法に使用される自動授乳機を提供し、該自動授乳機は、給乳装置１と、胃管２とを備え、給乳装置１には、早産児に必要な栄養を供給するのに十分な量の乳汁が収容されており、胃管２の一端は、早産児の胃内に配置され、胃管２の他端は、給乳装置１に接続され、自動授乳機は、早産児が吸引動作をしているか否かを検知するプローブ３及び制御装置４をさらに備え、プローブ３は、早産児の口に配置され、制御装置４に電気的に接続され、制御装置４は、給乳装置１に電気的に接続される。
【００２０】
図３に示すように、具体的には、給乳装置１は、ハウジング１１を備え、ハウジング１１内には、取付溝１１１が設けられ、取付溝１１１には、プッシャー１２が固定して設けられ、プッシャー１２は、乳汁を収容するためのカートリッジ１２１、ピストン１２２、プッシュロッド１２３及びプッシュプレート１２４を備え、カートリッジ１２１の先端の注射ヘッドがハウジング１１から伸びて胃管２に接続され、ピストン１２２がカートリッジ１２１にスライド可能に設けられ、ピストン１２２がプッシュロッド１２３の先端に固定して接続され、プッシュロッド１２３の後端がプッシュプレート１２４に固定して接続され、
ピストン１２２の後端とカートリッジ１２１の後端との間には、距離感知装置１３がさらに設けられ、距離感知装置１３は、距離検出センサ１３１と反射板１３２を備え、距離検出センサ１３１は、好ましくは赤外線測距センサであり、反射板１３２がピストン１２２に固定して設けられ、距離検出センサ１３１がカートリッジ１２１に固定して設けられ、距離検出センサ１３１及び反射板１３２がそれぞれ制御装置４に電気的に接続され、距離感知装置１３によってピストン１２２の移動距離を検出することにより、カートリッジ１２１における乳汁の残量が決定される。たとえば、カートリッジ１２１の全長さが１２ｃｍであり、ピストン１２２の厚さが１ｃｍである場合、カートリッジ１２１の後端とピストン１２２との後端の間に移動可能な最大距離が１１ｃｍであり、距離検出センサ１３１と反射板１３２との間における距離が最大距離の１１ｃｍに達すると、給乳装置１における乳汁の全部が供給されたことを示し、距離検出センサ１３１は、乳汁の全部が供給された信号を制御装置４に送信し、距離検出センサ１３１と反射板１３２との距離が最大距離の１１ｃｍ未満であると、給乳装置１には乳汁が残っていることを示し、距離検出センサ１３１は、乳汁が残っている信号を制御装置４に送信し、
給乳装置１は、モータ１４をさらに備え、モータ１４の出力軸１４１が軸ブッシュ１５を介してスクリュー１６の後端に固定して接続され、スクリュー１６の先端には、スクリュースリーブ１７が套設され、スクリュー１６がスクリュースリーブ１７に螺接され、スクリュースリーブ１７がプッシュプレート１２４に固定して接続され、
モータ１４は、モータドライバー１８に電気的に接続され、モータドライバー１８は、制御装置４に電気的に接続される。
【００２１】
図４に示すように、具体的には、プローブ３は、吸い口３１及び吸い口３１内に設けられた圧力センサ３２を備え、圧力センサ３２は、制御装置４に電気的に接続され、早産児の吸引動作による吸い口３１内の圧力情報の変化を検知し、圧力情報の変化を吸引信号に変換してこの吸引信号を制御装置４に伝送する。
【００２２】
好ましくは、制御装置４は、マイクロコントローラ又はシーケンスコントローラである。
【００２３】
本発明に係る自動授乳機の作動原理は、以下のとおりである。まず、自動授乳機を起動させて、ステップ（２）の主動給乳段階において、早産児がプローブ３を吸うと、早産児による吸引動作がプローブ３の吸い口３１に圧力を印加して吸い口３１を変形させ、圧力センサ３２は、吸い口３１の変形を通して吸い口３１内の圧力情報の変化を検知し、吸引動作による圧力情報の変化を吸引信号に変換してこの吸引信号を制御装置４に伝送し、
次に、制御装置４は、吸引信号を受信すると、給乳装置１におけるモータドライバー１８を起動させ、モータドライバー１８は、モータ１４の出力軸１４１を時計回りで回転駆動し、モータ１４の出力軸１４１は、軸ブッシュ１５を介してスクリュー１６を時計回りで回転駆動し、スクリュー１６の先端のスクリュースリーブ１７は、スクリュー１６の時計回り回転により左へ直線運動し、それによって、スクリュースリーブ１７は、プッシュプレート１２４を押して左へ直線運動させ、プッシュプレート１２４は、プッシュロッド１２３を左へ直線運動するように連動し、プッシュロッド１２３は、ピストン１２２をカートリッジ１２１において左へ直線運動するように連動し、ピストン１２２は、反射板１３２をカートリッジ１２１において左へ直線運動するように連動し、ピストン１２２は、所定量の乳汁をカートリッジ１２１から胃管２にプッシュして、胃管２を介して早産児へ給乳し、
早産児が再度プローブ３を吸うと、早産児による吸引動作は、プローブ３の吸い口３１に圧力を印加して吸い口３１を変形させ、圧力センサ３２は、吸い口３１の変形を通して吸い口３１内の圧力情報の変化を検知し、吸引動作による圧力情報の変化を吸引信号に変換してこの吸引信号を制御装置４に伝送し、
さらに、制御装置４は、吸引信号を受信すると、給乳装置１におけるモータドライバー１８を起動させ、モータドライバー１８は、モータ１４の出力軸１４１を時計回りで回転駆動し、モータ１４の出力軸１４１は、軸ブッシュ１５を介してスクリュー１６を時計回りで回転駆動し、スクリュー１６の先端のスクリュースリーブ１７は、スクリュー１６の時計回り回転により左へ直線運動し、それによって、スクリュースリーブ１７は、プッシュプレート１２４を押して左へ直線運動させ、プッシュプレート１２４は、プッシュロッド１２３を左へ直線運動するように連動し、プッシュロッド１２３は、ピストン１２２をカートリッジ１２１において左へ直線運動するように連動し、ピストン１２２は、反射板１３２をカートリッジ１２１において左へ直線運動するように連動し、ピストン１２２は、所定量の乳汁をカートリッジ１２１から胃管２にプッシュして、胃管２を介して早産児へ給乳し、
給乳装置１における乳汁の全部が供給される又は主動給乳段階の時間が切れるまで、以上のことを繰り返し、
さらに、受動給乳段階において、ステップ（２）における給乳装置１内の乳汁の全部が供給された場合、給乳装置１の距離検出センサ１３１は、乳汁の全部が供給された信号を制御装置４に送信し、制御装置４は、給乳装置１を停止し、給乳装置１は、早産児に対して受動給乳を行わず、
ステップ（２）における主動給乳段階の時間が切れても給乳装置１のカートリッジ１２１に乳汁が残っている場合、給乳装置１の距離検出センサ１３１は、乳汁が残っている信号を制御装置４に送信し、制御装置４は、給乳装置１のモータドライバー１８を起動させ、モータドライバー１８は、モータ１４の出力軸１４１を時計回りで回転駆動し、モータ１４の出力軸１４１は、軸ブッシュ１５を介してスクリュー１６を時計回りで回転駆動し、スクリュー１６の先端のスクリュースリーブ１７は、スクリュー１６の時計回り回転により左へ直線運動し、それによって、スクリュースリーブ１７は、プッシュプレート１２４を押して左へ直線運動させ、プッシュプレート１２４は、プッシュロッド１２３を左へ直線運動するように連動し、プッシュロッド１２３は、ピストン１２２をカートリッジ１２１において左へ直線運動するように連動し、ピストン１２２は、反射板１３２をカートリッジ１２１において左へ直線運動するように連動し、ピストン１２２は、残った乳汁をカートリッジ１２１から等速で胃管２にプッシュして、胃管２を介して早産児へ給乳し、乳汁の全部が供給されると、給乳装置１は、乳汁の全部が供給された信号を制御装置４に送信し、制御装置４は、給乳装置１を停止し、給乳装置１は、早産児に対して受動給乳を行わず、
最後に、ステップ（３）が終了した後、休憩段階の時間が切れるまで早産児を休憩させる。
【００２４】
本発明に係る早産児用自動授乳方法及び自動授乳機は、以下の技術的効果を有する。
（１）主動給乳段階では、早産児がプローブ３を吸って、プローブ３が早産児による吸引動作を取得する場合にのみ、吸引動作を吸引信号に変換して制御装置４を伝送し、制御装置４は、吸引信号を受信したときにのみ給乳装置１を起動させて早産児へ給乳し、それによって、早産児自分の吸引能力を訓練するとともに、早産児の体の口−咽頭−胃−腸反射サイクルを正常に機能させ、それによって、早産児の将来のケア、飲食、神経発育及び成長発育のいずれにおいても満期産児と同じようにする。
（２）早産児のステップ（２）における主動給乳段階が終了した後、給乳装置１には乳汁が残っている場合、受動給乳段階に入り、受動給乳段階では、制御装置４は、給乳装置１を起動させて残った乳汁を胃管を介して早産児へ等速で供給することで、早産児の個体差を考慮に入れるとともに、早産児による栄養へのニーズを満たす。
（３）ステップ（３）が終了した後、休憩段階に入り、早産児に十分な休憩時間を与え、早産児の発育に有利である。
【００２５】
以上は、本発明の好適実施形態に過ぎず、また、当業者であれば、本発明の原理から逸脱せずにいくつかの改良及び修飾を行うことができ、これら改良及び修飾も本発明の保護範囲とみなすべきである。
【図１】
2021508504.tif 000003
【図２】
2021508504.tif 000004
【図３】
2021508504.tif 000005
【図４】
2021508504.tif 000006
【国際調査報告】
2021508504.tif 000007
2021508504.tif 000008
2021508504.tif 000009
2021508504.tif 000010